Podtech/llm-jp-corpus-v4-ja_patent huggingface dataset:
(57)【要約】【課題】  本願発明は、故人の命日などに簡単に使用（設置）できて、故人の冥福をお祈りできる掛軸（戒名掛軸）を提供することにある。【解決手段】  戒名掛軸１０は、縦７０ｃｍ〜９０ｃｍの小型の掛軸であり、掛軸表面の中央に戒名の文字２０を備えるとともに、掛軸表面の一部又は全面に思い出の生地３０，３１，３２を使用したことを特徴とするものである。また、戒名の文字２０の上方に家紋４０を備えてもよい。【選択図】  図１
2014083200.tif 000002
【特許請求の範囲】
【請求項１】
掛軸表面の中央に戒名の文字を備えるとともに、
掛軸表面の一部又は全面に思い出の生地を使用したことを特徴とする戒名掛軸。
【請求項２】
戒名の文字は、掛軸表面に対して着脱自在な構成になっていることを特徴とする請求項１記載の戒名掛軸。
【請求項３】
思い出の生地は、掛軸表面の左上四隅と右下四隅に三角形状および戒名の文字の下地に矩形状で使用されていることを特徴とする請求項１又は２記載の戒名掛軸。
【請求項４】
戒名の文字の上方に家紋を備えたことを特徴とする請求項１から３のいずれかに記載の戒名掛軸。
【請求項５】
縦７０ｃｍ〜９０ｃｍの小型の掛軸であることを特徴とする請求項１から４のいずれかに記載の戒名掛軸。
【発明の詳細な説明】
【技術分野】
【０００１】
本願発明は、故人の命日などに簡単に掛けることのできる戒名付きの掛軸（戒名掛軸）に関するものである。
【背景技術】
【０００２】
掛軸は、書画を軸物に表装し、床の間や壁などにかけて飾りとし、または賞翫するものであり（岩波書店：広辞苑より）、例えば、特許文献１に開示されたものなどがある。
ところで、故人の命日などでは墓や仏壇に祈りを捧げて、故人の冥福を祈るものであるが、老人ホームなどで共同生活をしている場合や旅先にある場合には、命日に墓や仏壇にお祈りすることは難しい。
【先行技術文献】
【特許文献】
【０００３】
【特許文献１】実用新案登録第３１３５１９９号公報
【発明の概要】
【発明が解決しようとする課題】
【０００４】
そこで、故人の命日などに簡単に使用（設置）できて、故人の冥福をお祈りできる掛軸（戒名掛軸）を提供するものである。
【課題を解決するための手段】
【０００５】
本願発明の第１の発明は、掛軸表面の中央に戒名の文字を備えるとともに、掛軸表面の一部又は全面に思い出の生地を使用したことを特徴とする戒名掛軸である。
第２の発明は、戒名の文字が、掛軸表面に対して着脱自在な構成になっていることを特徴とする同戒名掛軸である。
第３の発明は、思い出の生地が、掛軸表面の左上四隅と右下四隅に三角形状および戒名の文字の下地に矩形状で使用されていることを特徴とする同戒名掛軸である。
第４の発明は、戒名の文字の上方に家紋を備えたことを特徴とする同戒名掛軸である。
第５の発明は、縦７０ｃｍ〜９０ｃｍの小型の掛軸であることを特徴とする同戒名掛軸である。
【発明の効果】
【０００６】
本願発明によれば、以下のような効果を有する。
（１）戒名を備えた掛軸であるので、故人を偲んでお祈りをすることができるとともに、簡単に設置・収納できる。また、掛軸表面の一部又は全面に思い出の生地を使用しているので、故人を身近に感じることができる。
（２）戒名の文字が掛軸表面に対して着脱自在な構成になっていることで、複数の故人に対して１の掛軸で対応できる。また、命日以外には戒名以外にものに差し替えて、一般の掛軸として使用することもできる。
（３）思い出の生地が、掛軸表面の左上四隅と右下四隅に三角形状および戒名の文字の下地に矩形状で使用されていることで、装飾的にも優れたものになっている。
（４）戒名の文字の他に家紋を備えることで、単なる掛軸にとどまらず、先祖代々の墓や仏壇と同じように祈ることができる。
（５）縦７０ｃｍ〜９０ｃｍの小型の掛軸であることで、設置場所や収納場所などに困ることなく、使い勝手のよい戒名掛軸を提供できる。
【図面の簡単な説明】
【０００７】
【図１】本願発明の実施形態を示す説明図
【発明を実施するための形態】
【０００８】
以下、本願発明の実施形態を図面（図１）に基づいて説明する。
まず、戒名掛軸１０は、縦７０ｃｍ〜９０ｃｍの小型（コンパクトタイプ）の掛軸である（但し、この寸法に限定されるものではない）。なお、図１では、戒名掛軸１０を掛けるための掛止部分（ひも等）の図示を省略している。
【０００９】
そして、掛軸表面の中央に戒名の文字２０を備える。戒名の文字は、白地の紙又は生地２１に記載されたものである（生地の場合には、刺しゅうされたものであってもよい）。この戒名の部分（符号２１）は、掛軸表面に対して固定されていてもよいし、着脱自在な構成になっていてもよい。なお、着脱自在であれば、戒名を差し替えて使用することもできるし、戒名以外のものに差し替えて一般の掛軸として使用することもできる。
【００１０】
また、掛軸表面の一部又は全面に思い出の生地を使用する。思い出の生地とは、例えば、故人が生前着ていた着物や帯の生地、故人が愛用していたネクタイやハンカチの生地などが挙げられる（但し、これらのものに限定されるものではない）。
図示するように、思い出の生地を掛軸表面の左上四隅３０と右下四隅３１に三角形状、および戒名の文字の下地３２に矩形状で使用されていることで、装飾的にも優れたものになっている。
【００１１】
さらに、戒名の文字２０の他にその上方に家紋４０を備えることで、単なる掛軸にとどまらず、先祖代々の墓や仏壇と同じように祈ることができる。なお、家紋４０の位置は図示のものに限定されるものではなく、任意の位置に備えてよい。
【００１２】
上記のような戒名掛軸は、極めてコンパクトな設計になっているので、例えば、ベッドの一部分に掛けて使用したり、ベッドに隣り壁に掛けて使用したりできる。また、使用後は普通の掛軸と同じように巻いて桐の箱等に収納できる。このため、命日にも簡単に設置できて収納にも困らないので、お年寄りにとっても非常に使い勝手のよいものとなっている。
【産業上の利用可能性】
【００１３】
本願発明に係る戒名掛軸は、故人の命日などに簡単に使用することのできるものであり、特に墓や仏壇に参ることのできないお年寄りなどが墓や仏壇の代わりに使用できるものである。
なお、本願発明に係る戒名掛軸は、戒名だけに使用されるものではなく、一般の掛軸としても併用できるものである。
【符号の説明】
【００１４】
１０・・・戒名掛軸
２０・・・戒名の文字
２１・・・戒名の文字の記載された紙又は生地
３０・・・思い出の生地（掛軸表面の左上四隅）
３１・・・思い出の生地（掛軸表面の右下四隅）
３２・・・思い出の生地（戒名の文字の下地）
４０・・・家紋
【図１】
2014083200.tif 000003
(57)【要約】【課題】従来の回転型ゴルフスイング練習機では、ショット後打撃用ボール付回転体が回転するだけであったためインパクト時のクラブフェース角度の良否およびクラブヘッド軌道の良否の判断が難く、またショット後の飛球イメージをつかむのが難しく、さらに打撃物が傾斜を利用して打撃位置に戻るものやショットの反動を利用して打撃位置に戻るものは今までなかった。【解決手段】支持台に高さ調節可能な支持部を設け、その支持部に伸縮可能な摺動部を傾斜を付けて取り付け、その摺動部に打撃部を連結部と吊下げ部とで吊りさげたもので構成した。  これにより、インパクト時のクラブフェース角度およびクラブヘッド軌道の良否の判断が容易となり、また、ショット後の飛球イメージを得ることや打撃部を打撃位置まで戻る機能により反復練習を可能とした。【選択図】図１
2014083405.tif 000002
【特許請求の範囲】
【請求項１】
支持台に高さ調節可能な支持部を設け、その支持部に伸縮可能な摺動部を摺動部末端が上方位置になるように傾斜を付けて取り付け、その摺動部に打撃部を連結部と吊下げ部とで吊りさげたゴルフスイング練習機である。
【発明の詳細な説明】
【技術分野】
【０００１】  本発明は、ゴルフスイング練習機に関するものである。
【背景技術】
【０００２】  従来の回転型ゴルフスイング練習機では、ショット後打撃用ボール付回転体（以降打撃回転体とする。）が回転しかせずインパクト時のクラブフェース角度の良否およびクラブヘッド軌道の良否の判断は難しかった。【０００３】  そのため従来の回転型ゴルフスイング練習機では、クラブフェース角度がスクェアなショットや飛球が目標方向となるクラブヘッド軌道のショット（以降ストレートショットとする。）をするための練習効果としては薄く、またショット後打撃物が目標方向に動かないため飛球のイメージがつかみ難く、さらに打撃物が傾斜やショットによる反動で打撃位置に戻るものはなかった。
【発明の開示】
【発明が解決しようとする課題】
【０００４】  本発明は従来のゴルフスイング練習機の欠点を排除するため、従来判断が困難であったインパクト時のクラブフェース角度の良否、クラブヘッド軌道の良否の判断を容易にし、また飛球をイメージしやすくするためにストレートショット後に打撃物が目標方向前方に動き、さらに打撃物が打撃位置に戻り反復練習ができることである。
【課題を解決するための手段】
【０００５】  本発明は上記課題を解決するために支持台に高さ調節可能な支持部を設け、その支持部に伸縮可能な摺動部を摺動部末端が上方位置になるよう傾斜を付けて取り付け、その摺動部に打撃部を長さ調節可能な連結部と吊下げ部とで吊りさげたゴルフスイング練習機である。【０００６】  上記課題解決手段による作用は次の通りである。【０００７】  摺動部の軸方向を目標方向として、ストレートショットの場合、ショット後打撃部は摺動部の軸方向に向かって進み摺動部末端であるストッパーへの衝撃による反動や摺動部の傾斜により打撃位置まで戻ってくる。【０００８】  そのような状況の場合、スクウェアなクラブフェース角度で飛球方向と合致したクラブヘッド軌道であったことを容易に判断することができる。【０００９】  しかし、ストレートショットで無い場合、ショット後打撃部は摺動部を軸として旋回した後や上方に跳ね上がった後揺動し挙動が乱れ打撃位置まで戻ってくるが、その乱れが激しい場合は摺動部等にからまり打撃位置まで戻らないこともある。【００１０】  そのような状況の場合、スクウェアではないクラブフェース角度であったか飛球方向と合致しないクラブヘッド軌道であったことを容易に判断することができる。【００１１】  またストレートショット後打撃部が目標方向前方に動くため飛球をイメージしやすくなり、さらに摺動部の傾斜や摺動部末端への衝突による反動によって打撃部が打撃位置まで戻ることができる。
【発明の効果】
【００１２】  上述したように本発明はショット後の打撃部の挙動によりクラブフェースの良否やクラブヘッド軌道の良否の判断を容易にすることができ、ストレートショットをするための練習効果を向上させることができる。【００１３】  さらに従来のゴルフスイング練習機ではショット後打撃回転体は回転のみしかしなかったが、ストレートショット後打撃部が目標方向前方に動くことにより飛球のイメージがしやすくなり、また打撃部が摺動部の傾斜やショット後の勢いで摺動部末端であるストッパーへの衝撃による反動で打撃位置まで戻ってくるような機構のため反復練習が容易となり練習効果をさらに向上させることができる。
【発明を実施するための最良の形態】
【００１４】  以下、本発明の実施形態を図に基づいて説明する。【００１５】  図１において、支持台１に設けられた支持部２に伸縮可能な摺動部３を摺動部末端であるストッパー４が上方位置になるよう傾斜を付けて取り付け、その摺動部３に打撃の衝撃を緩衝する緩衝部７を設けた打撃部６に締付部９を設けた長さ調節可能な連結部８と吊下げ部５とで吊りさげられたもの（以降、吊下げ部５、緩衝部７、連結部８、締付部９および打撃部６との一体を摺動打撃部とする。）がショット後摺動、揺動、旋回等を可能としたゴルフスイング練習機である。【００１６】  以下、上記の動作を説明する。【００１７】  まず摺動部３の軸方向を目標方向としてセットし、ストレートショットの場合は、ショット後に打撃部６が摺動部３の軸方向に向かって進み摺動部末端であるストッパー４に当たり、その反動の勢いあるいは摺動部３の傾斜により打撃位置まで戻ってくる。【００１８】  このような挙動を示した場合、クラブフェース角度がスクウェアで飛球方向が目標と合致するクラブヘッドの軌道であったと判断ができる。【００１９】  しかし、ストレートショットで無かった場合は、ショット後打撃部６は摺動部３を軸として旋回した後や上方に跳ね上がった後揺動し挙動が乱れ摺動打撃部が摺動部末端であるストッパー４への衝撃による反動や摺動部３の傾斜によって打撃位置まで戻るが、その乱れが激しい場合は摺動打撃部が摺動部３等にからまり打撃位置まで戻らないこともある。【００２０】  このような挙動を示した場合、クラブフェース角度がスクウェアで無かった、あるいは飛球方向が目標とずれたクラブヘッド軌道であったと判断ができる。【００２１】  また、ストレートショットした場合は、ショット後に摺動打撃部が摺動部３に沿って目標方向前方に動くため飛球をイメージしやすくなり、さらに摺動部３の傾斜や摺動部末端であるストッパー４への衝撃による反動で摺動打撃部が打撃位置まで戻ってくることにより反復練習可能となる。【００２２】  以上のように、本実施形態によればゴルフスイングの練習効果を向上させることができるものである。
【図面の簡単な説明】
【００２３】
【図１】本発明の斜視図
【図２】本発明の正面図
【符号の説明】
【００２４】１  支持台
２  支持部
３  摺動部
４  ストッパー
５  吊下げ部
６  打撃部
７  緩衝部
８  連結部
９  締付部
【図１】
2014083405.tif 000003
【図２】
2014083405.tif 000004
(57)【要約】【課題】  本発明は、足裏の３本のアーチのなかの外側縦アーチが落ちることによる疾患やＯ脚を、Ｙ字型伸縮性帯状布を張るだけで外側縦アーチの下垂の予防保護する保護具及び手法を提供する。【解決手段】  素材として伸縮性を有するＹ字型に形成された粘着性帯状の素材布を用い、Ｙ字の裂け目を１２に張り、３を１５へ伸縮を利用し張る、９の両脇にそれぞれ４を１０へ５を１１へ引き上げながら張り第五中足骨付け根バジス自体を持ち上げる。伸縮の引きの強弱で持ち上げたい高さの調節を可能にし、張るだけで継続的に外側縦アーチの持ち上げを図る。【選択図】図１
2014083402.tif 000002
【特許請求の範囲】
【請求項１】
伸縮性を有するＹ字に形成された粘着性帯状の素材布からなる外側縦アーチ保護具であり。第５中足骨付け根バジスを持ち上げ、外踝を前後両方から支え挟む様に定着させ外踝下垂を予防し外側縦アーチを保護する保護具
【請求項２】
前記伸縮性を有するＹ字粘着性帯状素材布を省略して、Ｙ字伸縮性帯状布はＹの中央支点の角度を２０度としそれぞれ５０度３５度の角度を有することを特徴とする。
【発明の詳細な説明】
【技術分野】
【０００１】本発明は、外側縦アーチ下垂により起こる疾患やＯ脚を、張るだけ外側縦アーチを矯正する外側縦アーチ保護具である。
【背景技術】
【０００２】従来、外側縦アーチを持ち上げる手段として、インソール・中敷・パット状になった物を履いたり・当てたりして、外側のアーチを持ち上げ、外側縦アーチが落ちることによるＯ脚を矯正していた。
【発明の開示】
【発明が解決しようとする課題】
【０００３】従来、インソール・中敷・パット状の物の利用により、外側縦アーチを持ち上げ外側縦アーチが落ちることによりＯ脚を矯正していたが、単に厚みのあるインソール・中敷・パット状の物で持ち上げる事をしていた為、膝に負担がかかり痛みがでたり、個々に必要なアーチの高さの違いで、薄すぎて効果を期待できなかったり、逆に高すぎて負担になった。足のサイズの違いや靴のデザインの違いなどにより持ち上げなくてはいけない位置を誤りやすく、効果的に外側縦アーチを持ち上げることは難しく、しかも、インソール・中敷が入ったものを履いている時だけ、パット状になったものを当てている時だけの矯正であり、基本的な継続的矯正としての効果は期待できなかった。
【課題を解決するための手段】
【０００４】外側縦アーチは、小指のつけ根から踵のラインにある踵骨・立方骨・第５中足骨（第５中足骨付け根バジスを含む）のラインにあたり、外側縦アーチを持ち上げるには中央に位置し突起しているバジスを持ち上げることが有効で、第５中足骨付け根バジスにＹ字伸縮性帯状布のＹの部分の裂け目を置き伸縮を利用して３を第５中足骨頭へ引き上げる。４を角度と伸縮を利用しバジスを持ち上げながら外課の内側に引き上げ貼り、５を外課の外側に貼り固定する。直接バジスを持ち上げることにより外側のラインが内側に重心がかかり外側縦アーチが持ち上げられ外側縦アーチの矯正に導く。テープの引き上げる力の強弱で上げたい高さを調整でき、伸縮を利用し負担無く、しかも就寝している時も継続的に矯正が可能となる。
【発明の効果】
【０００５】アーチは、足の骨を筋肉で持ち上げアーチを形成しているが外側縦アーチは、長腓骨筋・短腓骨筋の筋肉に影響されている。前述した筋肉は腱でバジスにつながっており、靱帯で支えられている。バジスを直接持ち上げ、程よい負荷をかける事により前述した筋肉は鍛えられ、よって外側縦アーチは正常なアーチを取り戻すよう導き矯正が可能となる。【０００６】インソール・中敷・パット状のものを履いたり当てたりすること無くて角度の付いたＹ字伸縮性帯状布を張るだけで継続的な矯正が可能となる。【０００７】外側縦アーチの垂下は、生活習慣や外側に重心を置く癖に大きく影響しており日本人の９割がＯ脚といわれている。引いては膝関節症にもつながりやすく、色々な足のトラブル（角質・魚の目）にも影響する。日本人が外側縦アーチを落とす正座の文化であったことと、外側縦アーチを落として歩く下駄・草履の内股擦り歩き又は側面立ちなどの癖も大きな原因である。本発明により継続的に貼り、負荷無く外側縦アーチを矯正することで、外側縦アーチを形成する筋肉を鍛え、張り続けることで日々の生活習慣や癖などの意識の改善につなげ、Ｏ脚矯正に多いリバウンドをなくし根本的なところからの矯正に導くものである。
【図面の簡単な説明】
【０００８】
【図１】Ｙ字型伸縮性帯状布の表面図
【図２】図１のＹ字型伸縮性帯状布の使用状態側面からの斜視図
【図３】図１のＹ字型伸縮性帯状布の使用状態上面側からの斜視図
【符号の説明】
【０００９】１外側縦アーチ保護具
２Ｙ字伸縮性帯状布
３Ｙ字型伸縮性帯状布第５中足骨頭側装着部
４Ｙ字型伸縮性帯状布外踝内側装着部
５Ｙ字型伸縮性帯状布外踝外側装着部
６Ｙ字型伸縮性帯状布支点２０度
７Ｙ字型伸縮性帯状布内踝内側部角度５０度
８Ｙ字型伸縮性帯状布内踝外側部角度３５度
９外踝
１０外踝内側
１１外踝外側
１２第５中足骨（バジス）下部
１３足の裏面
１４足の甲面
１５足部第５指
【図１】
2014083402.tif 000003
【図２】
2014083402.tif 000004
【図３】
2014083402.tif 000005
(57)【要約】【課題】  本発明は、足受け用バネと支柱内側バネの二重弾力バネに片足裏を乗せ、片足でバランスの強弱、自己で加圧ができる足裏バランスツボ刺激具を提供する。【解決手段】  台座（４）に台座保護カバー（５）を設け、台座保護カバー（５）に支柱台座（３）と足受け用バネ（６）を設け、支柱台座（３）に支柱（２）を設け、支柱（２）の内側に支柱内側バネ（７）を設け、支柱（２）の上部に足裏刺激部（８）を設けた足裏バランスツボ刺激具。【選択図】図１
2014083421.tif 000002
【特許請求の範囲】
【請求項１】
台座（４）に台座保護カバー（５）を設け、台座保護カバー（５）に支柱台座（３）と足受け用バネ（６）を設け、支柱台座（３）に支柱（２）を設け、支柱（２）の内側に支柱内側バネ（７）を設け、支柱（２）の上部に足裏刺激部（８）を設けた足裏バランスツボ刺激具。
【発明の詳細な説明】
【技術分野】
【０００１】  本発明は、足受けと支柱内側バネ二重弾力バネに片足裏を乗せ、片足でバランスの強弱、自己で加圧ができる足裏バランスツボ刺激具に関するものである。
【背景技術】
【０００２】  従来の足裏刺激器は、竹踏み感覚や電気ローラー、凹凸状に体重を乗せたり、電気によるローラー式などがあった。
本発明は自助力でバネ二重弾力、電気等を使わず、エコであり片足をバランス加圧による自然体、筋力強化、内太もも、膝下筋力強化を目的とするものである。
【先行技術文献】
【特許文献】
【０００３】
【特許文献１】  特開２０１０−１７２４２１号公報
【特許文献２】  特開２００７−６８９２６号公報
【特許文献３】  特許公開２００５−５８６８３号公報
【特許文献４】  特許公開２０００−１４００６４号公報
【特許文献５】  登録実用新案第３０３４１４４号公報
【発明の概要】
【発明が解決しようとする課題】
【０００４】  そのために、次のような問題点がある。
（イ）両足竹踏み感は、時間的集中精神的煩わしさがあった。
（ロ）本案は机の下、事務をとりながら、台所の立ち仕事中でも、自然に無意識に気持ち    良く使用することができる。
本発明は、これらの問題点を解決されるためになされたものである。
【課題を解決するための手段】
【０００５】  台座（４）に台座保護カバー（５）を設け、台座保護カバー（５）に支柱台座（３）と足受け用バネ（６）を設け、支柱台座（３）に支柱（２）を設け、支柱（２）の内側に支柱内側バネ（７）を設け、支柱（２）の上部に足裏刺激部（８）を設けた足裏バランスツボ刺激具（１）である。
【発明の効果】
【０００６】  本発明は足受け用バネに片足を乗せ、片足でバランスを取りながら、強弱操作できるが、本発明を二個同時に使用することもできる。バランス感覚を自覚しながら、片足で、フイゴで風を送るように強弱パワーで足裏のつぼを刺激、筋力トレーニングになる。
使用するところは、場所を選ばす、コンパクトで、事務、勉強机の下に、老若を問わず足裏のバランスをとりながら、第二の心臓といわれる足裏を気持ち良く、その目的を果たす足裏バランスツボ刺激具である。
足受けバネ、支柱内側バネと二重クッションバネにより、足裏を片足ずつ足で踏んで、風を送るフイゴのように、バランス自由パワー強弱、自己加圧を気持ち良く、座ったままや立ったままの手仕事中にも、太ももやふくらはぎ、筋力トレーと足裏のつぼ刺激で全身のつぼ刺激が気持ち良くできる。
足裏バランスツボ刺激具（１）の支柱台座（３）、支柱内側バネ（７）による足裏刺激により、足裏のつぼを加圧して、クッションの強弱を加減、バランスを可能にした足裏の刺激器具で、二重バネで刺激ができる。
足受け用バネ（６）と支柱内側バネ（７）の二重弾力バネに片足裏を乗せ、片足でバランスの強弱、自己加圧できる。
【図面の簡単な説明】
【０００７】
【図１】  本発明の斜視図である。
【図２】  本発明の断面図である。
【発明を実施するための形態】
【０００８】  以下、本発明の実施の形態について説明する。
足受け用バネ（６）と支柱内側バネ（７）の二重弾力バネに片足裏を乗せ、片足でバランス強弱、自己加圧する。
【符号の説明】
【０００９】    １  足裏バランスツボ刺激具
２  支柱
３  支柱台座
４  台座
５  台座保護カバー
６  足受け用バネ
７  支柱内側バネ
８  足裏刺激部
【図１】
2014083421.tif 000003
【図２】
2014083421.tif 000004
(57)【要約】      （修正有）【課題】従来、お玉置きは陶器、プラスチック、針金製で台の上に置き場所を取り、汁こぼれ等を洗ったりと不便であった。直接鍋縁に差し込むお玉スタンドを提供する。【解決手段】柄５を裁断する時、柄下部鍋縁掛け位置中央に上部を残したＵ字状屈曲止具１または、両外側を一度にカット折曲げ成型する。【選択図】図１
2014083418.tif 000002
【特許請求の範囲】
【請求項１】
柄（５）を切断する時一緒に上部を残し外側にＵ字状屈曲止具（１）を打ち抜き成型し鍋縁に差し掛けることを特徴とするお玉スタンド。
【発明の詳細な説明】
【技術分野】
【０００１】本発明は、一般家庭のお玉置きのお玉スタンドに関する。
【背景技術】
【０００２】従来のお玉置きは、陶器、プラスチック製、針金製の台の上に置く物はあった。
【先行技術文献】
【特許文献】
【０００３】
【特許文献１】
【非特許文献】
【０００４】
【非特許文献１】小さい湯豆腐お玉に穴を開けリベットを打ち込んだ物はあった。
【発明の概要】
【発明が解決しようとする課題】
【０００５】従来のお玉置きは、丸型の上部に突出張りを設けた物で立て掛けたり、皿の上に置く場合台の上に置くために場所を取る欠点がある。
またリベット止のものは取り付け部に残り汁がこびり付き不潔で衛生的でない。
【課題を解決するための手段】
【０００６】お玉の柄を裁断する時、下部鍋縁掛け位置中央をＵ字状に又両外側を一度にカット上部をＵ字状に折り曲げ成型する。
以上の構成からなるお玉スタンドである。
【発明の効果】
【０００７】本発明は、お玉の柄を一度にＵ字状または両側を鍋縁挟みを裁断と一緒にカット成型するため溶接やリベット止具が不要である。
お玉を置く時は、鍋縁に差し掛けるために蓋も出来るし、台に置かないので置き場所も汁こぼれもなく衛生的である。
【図面の簡単な説明】
【０００８】
【図１】  本発明の側面図である。
【図２】  本発明の正面図である。
【発明を実施するための形態】
【０００９】本発明は、図１に示すようにお玉柄（５）の下部の中央に裁断時Ｕ字状にカット折曲げた（１）を鍋蓋の縁に差し込めるように設ける。
【実施例】
【００１０】お玉を置く場合は鍋縁にＵ字状屈曲止具（１）を外側に差込んで立てる。蓋も差し込んだまま蓋をすることが出来るので場所も取らず使い勝手が良い。
洗う場合もＵ字状折曲止具（１）が柄と一体のため隙間に残汁残らず清潔である。
【符号の説明】
【００１１】１  Ｕ字状屈曲止具
２  柄Ｕ字状打抜き穴
３  お玉
４  お玉固定リベット
５  柄
６  持ち手
７  透孔
【図１】
2014083418.tif 000003
【図２】
2014083418.tif 000004
(57)【要約】【課題】紐付きの菜箸は、いざ使用すると紐が絡んで使いにくい。紐なし菜箸は、吊り下げて乾燥することが出来ないし、片方を無くしたり取り扱いが不便だった。  本発明は、紐が絡まず取り扱いやすい菜箸にする事を目的とする。【解決手段】二つの球体を紐でつなぎ、紐は中心点で折り返し、折り返した所を頂点とし、頂点に摘みを設け、二つの球体の下部中心に菜箸を差し込む穴を設けたシリコンゴム製の菜箸のつなぎ具。【選択図】図４
2014083416.tif 000002
【特許請求の範囲】
【請求項１】
二つの球体を紐でつなぎ、紐は中心点で折り返し、折り返した所を頂点とし、頂点に摘みを設け、二つの球体の下部中心に菜箸を差し込む穴を設けた菜箸のつなぎ具。
【発明の詳細な説明】
【技術分野】
【０００１】  本発明は、料理の調理や、盛り付け及び食事の取り分けに使用する菜箸のつなぎ具に関するものである。
【背景技術】
【０００２】  従来、２本の箸を糸や紐でつないでいるものや、紐なしの菜箸が一般的だった。
【先行技術文献】
【特許文献】
【０００３】
【特許文献１】実開平７−３０９４４号広報
【発明の概要】
【発明が解決しようとする課題】
【０００４】  紐付きの菜箸は、いざ使用すると紐が絡んで使いにくい。紐なし菜箸は、吊り下げて乾燥することが出来ないし、片方を無くしたり取り扱いが不便である。
本発明は、以上の問題点を解決するものである。
【課題を解決するための手段】
【０００５】  二つの球体を紐でつなぎ、紐は中心点で折り返し、折り返した所を頂点とし、頂点に摘みを設け、二つの球体の下部中心に菜箸を差し込む穴を設ける。
以上の構成よりなる菜箸のつなぎ具。
【発明の効果】
【０００６】  本発明により、紐付き菜箸の糸の絡まりから解放される。吊り下げて乾燥する事も出来、収納状態に関わらず摘みをつまんで簡単に手に取る事が出来る。
本発明は、着脱が容易に行える為、どの箸にも使用出来る。
【図面の簡単な説明】
【０００７】
【図１】本発明の正面図
【図２】本発明の断面図
【図３】本発明の使用状態を示す正面図
【図４】本発明の使用状態を示す断面図
【発明を実施するための形態】
【０００８】  以下、本発明の実施の形態を説明する。
（イ）二つの球体（１）を紐（２）でつなぎ、紐は中心点（３）で折り返して頂点とし、頂点に摘み（４）を設ける。
（ロ）二つの球体（１）の下部中心には、菜箸（６）の上部を差し込むための穴を設け、差込口（５）とする。
（ハ）全てシリコンゴムから成る
本発明は以上のような構造である。
本発明を使用するときは、菜箸（６）の上部を、二つの球体（１）の下部中心に設けられた穴の差込口（５）から、球体（１）の上方に向かって差し込む。シリコンゴムで成型してある為、差込口（５）から箸が抜ける事も無く紐も絡まない。
【符号の説明】
【０００９】  １  球体、２  紐、３  中心点、４  摘み、５  差込口、６  菜箸
【図１】
2014083416.tif 000003
【図２】
2014083416.tif 000004
【図３】
2014083416.tif 000005
【図４】
2014083416.tif 000006
(57)【要約】      （修正有）【課題】故人や故愛玩動物の遺骨灰を含む陶磁品の製造において製造時に通常の陶磁品と異なり、遺骨灰成分の存在により内部に気泡が発生したり、破損しやすいなどの課題が指摘されていた。これに対し成形方法などに工夫を加え、焼成温度の変更で強度の低下も少なくかつ内部構造も含め表面状態も良好な陶磁品を提供する。【解決手段】陶磁品は成形時点で表面に相当する部分に遺骨灰成分を含んだ原料とその内部には遺骨成分を含んでいない原料との二重構造成形体とすることで強度及び気泡発生防止を行い遺骨灰成分の溶解変質を防ぐため焼成温度を下げる事で当時品を提供できる構成とした。【選択図】図１
2014083420.tif 000002
【特許請求の範囲】
【請求項１】
故人もしくは故愛玩動物の遺骨を含有させた陶磁品において、遺骨灰が含有された磁器土と遺骨が含有されていない磁器土、あるいは表層より含有の少ない磁器土とを二重構造に積層させて成形された遺骨灰含有陶磁品。
【請求項２】
遺骨灰を含有させた請求項１に記載の遺骨灰含有陶磁品の製造方法であって、遺骨灰の熔解変質を起こし、目視で確認ができなくなる事がないために焼成温度を従来の磁器製品より低く設定した遺骨灰含有陶磁品の製造方法。
【発明の詳細な説明】
【技術分野】
【０００１】  本発明は、火葬した人骨や愛玩動物の遺骨灰を含有する陶磁品およびその製造方法に関するものである。
【背景技術】
【０００２】  故人や故愛玩動物をより感じることができるようにと、多くの遺骨灰を含む陶磁品の製造方法が提案されている（特許文献１参照）。多くの遺骨灰を含んだ陶磁品を製造する場合には、粘度が高いことから内部に気泡や空隙が生じ安く、冷却時に破損しやすい、あるいは、冷却時に破損しなくても携行時等に破損しやすいという問題があるところ、特許文献１に記載の技術では、焼成工程を減圧雰囲気中で実施し、さらに溶融状態となった時点で振動を与えることでこれを解決している。【０００３】  しかし、特許文献１に記載の技術では、真空溶融炉や振動印加装置を設けなければならず、設備が大がかりになるという問題があった。
【先行技術文献】
【特許文献】
【０００４】
【特許文献１】特開２００８−１５７７号公報
【発明の概要】
【発明が解決しようとする課題】
【０００５】  本発明は、このような事情に鑑みてなされたものであり、多くの遺骨灰を含み、大がかりな設備を設けないでも製造できる陶磁品を提供することを目的としている。
【課題を解決するための手段】
【０００６】  上記課題を解決するために、請求項１に係る発明では、最初に陶磁品の成形段階で粉砕された遺骨灰を含む陶磁品の原料を成形型の表層部分に配置する成形を行い、その後その内部側には遺骨灰の少ない陶磁土を成形させることで二重構造の陶磁品を成形させることを特徴としている。【０００７】  その後成形された陶磁品を乾燥炉で水分濃度１％以下になるよう乾燥させる。【０００８】  乾燥された陶磁品はその表面に釉薬を掛けることもできるがそのまま焼成することも可能である。【０００９】  乾燥後の陶磁品は焼成炉の中で焼成されるが出来上がった後で強度が低下しないように１２１０度程度で焼成する。この時は遺骨灰の組成が熔解変質することなく、遺骨灰含有していることが目視で確認できるようにするために通常の焼成温度である１３００度にしないことが必要である。
【発明の効果】
【００１０】  請求項１の発明によれば成形された陶磁品は焼成工程を行う場合も通常の陶磁品の焼成温度１３００度近傍に比べ１００程度低く、遺骨灰が熔解変質を起こさず遺族も目視で遺骨の含有が確認できるように残る１２１０度前後で焼成するため陶磁品の強度の低下も少なくかつ表面の白色度も高い。【００１１】  したがって、多くの遺骨灰を含んでいながら製造時に内部に気泡や空隙が生じることはない。これにより、大がかりな設備を設けることなく製造することができる。【００１２】  また、二層になっていることから、遺骨灰が少ない場合にも、遺族等の手に触れる表層に多くの遺骨灰を含有させることができる。【００１３】  これらの製造方法により従来より簡便で確実な品質の遺骨灰含有陶磁品の入手が可能となった。
【図面の簡単な説明】
【００１４】
【図１】仏像形状陶磁品の外形図
【図２】仏像形状陶磁品の成形用石膏型
【図３】仏像形状陶磁品の組み立て形状図面
【図４】仏像形状陶磁品の離型構造図面
【図５】仏像形状陶磁品の断面図
【発明を実施するための形態】
【００１５】  以下、本発明である遺骨灰を含有する陶磁品およびその製造方法を具現化した実施形態について、図面を参照しつつ説明する。
【００１６】  実施例１．仏像形状陶磁品の実施例
仏像形状の陶磁品の作成実施例について以下に説明する。
故人または故愛玩動物の遺骨灰を乳鉢で粉砕し、粒子径が０．１ｍｍ以下になるように行いパウダー状にする。
但し目視を重視を重要視する場合は１ｍｍ程度の粒子径になることもできる。
その後磁器土に混入し遺骨灰の濃度が約５〜２０％程度になるよう調整する。
よりこのましいのは８％〜１０％程度である。
【００１７】  仏像形状の陶磁品は図面２に示す石膏型の上面１０及び下面１１に示すそれぞれにその遺骨灰を混入させた磁器土を１２の示すように張り付けるように押し込む。その時石膏型の表層から肉厚で５〜１０ｍｍ程度の厚さに調整する。但し原料が多い場合はさらに厚くすることも可能である。
【００１８】  それぞれの石膏型の遺骨灰混入土の成形が終了したらそれぞれの内面に遺骨灰が混入していない磁器土を１３で示すように重ねて図面３に示す状態で成形する。
【００１９】  上面部分と下面部分を張り合わせるように重ね合わせてその面に接着用の水分をふりかけることで一体形の形状を得ることができる。
【００２０】  接着後石膏型に水分を吸着させるために所定の時間をかけたのち、図４に示すように石膏型から離型を行い仏像形状陶磁品１を取り出す。取り出した後は型の接着面に発生するバリなどを除去するなどの仕上げを行う。
【００２１】  仏像型成形体は乾燥機で１％以下の水分濃度になるよう乾燥させる。
【００２２】  焼成は通常の磁器質の製品の温度（摂氏１３００度程度）で焼成すると温度が高いことにより遺骨灰の成分が熔解変質し目視での確認が困難になるため、強度維持も考慮しながら摂氏１２００度程度で焼成する事とした。
【符号の説明】
【００２３】１：仏像形状陶磁品
１０：仏像形状石膏型上面
１１：仏像形状石膏型下面
１２：遺骨灰含有磁器土
１３：磁器土
【図１】
2014083420.tif 000003
【図２】
2014083420.tif 000004
【図３】
2014083420.tif 000005
【図４】
2014083420.tif 000006
【図５】
2014083420.tif 000007
(57)【要約】      （修正有）【課題】地震発生時に家具転倒防止にすこしでもサポートできる家具転倒防止地震用突っ張り棒を提供する。【解決手段】土台２と一階３屋根９を十文字（プラス）方式形に設置したことにより本体全体が安定し、一階３と土台２の間へスプリング４（バネ）を中央を含む５ヶ所に取り付け、中央のスプリング５を他のスプリング４（バネ）より２倍強度にした事で、上、下四方の振動衝撃を吸収でき、また土台２底屋根９上部へゴム凹凸方式形スベリ止６を付けた事でスベラずクッションにもなり家具を傷つけにくい家具転倒防止地震用突っ張り棒として使用できる。【選択図】図２
2014083413.tif 000002
【特許請求の範囲】
【請求項１】
２土台と３一階９屋根を十文字（プラス）方式形に設置した事で四方の足場となり安定し、振動に揺れて転倒しにくくなった。
【請求項２】
２土台と３一階の間へ４スプリング（バネ）中央含む５ヶ所へ取り付けた事により上下と四方の震動の衝撃を吸収し天井と家具を破損しにくい状態にできた。
【請求項３】
９屋根を十文字（プラス）方式形に設置し本体全体が四方を押さえる事で安定固定できた。
【請求項４】
６スプリング（バネ）転落防止、４スプリング（バネ）の中を３一階底まで通し６スプリング（バネ）脱落防止先端をネジ止した事で上下震動を吸収し外れることがなく２階建方式形が良かった。
【請求項５】
２土台底と３一階上部先端四方へ６ゴム凹凸方式形スベリ止を設置した事によりすべらずクッションとなり天井や家具を破損しにくい状態で安定固定できる。
【請求項６】
2014083413.tif 000003
事で本体全体が安定固定できた。
【発明の詳細な説明】
【技術分野】
【０００１】本発明は、地震の際家具転倒防止に突っ張り固定式取り付け、簡単効果的に家具をサポート使用できるようにしたものである。
【背景技術】
【０００２】従来は、４スプリンブ（バネ）２突っ張り棒土台と３一階９屋根を十文字（プラス）形二階建て方式形家具転倒地震用突っ張り棒はなかった。
【先行技術文献】
【特許文献】
【０００３】特開
【特許文献１】  ２００５−２１８７５２
【特許文献２】  ２００７−１６７４５４
【特許文献３】  （Ｄ２００７−１６７４５４Ａ）
【特許文献４】  ２００８−２０６７１６
【特許文献５】  ２００９−１１２６０８
【特許文献６】  （Ｐ２００９−１１２６０８Ａ）
【特許文献７】  平成８  ２４２９５
【特許文献８】  平成９  ３０８５３９
【発明の概要】
【発明が解決しようとする課題】
【０００４】平成２３年３月１１日東日本大震災が発生し埼玉県北本市地域では震度５以上との事でした。従来使用しておりました家具転倒地震用ポールが外れ、茶ダンスが転倒し損害を受けこの問題に直面した。
本発明は、この課題を少しでもサポートし、解決するためになされたものである。
【課題を解決するための手段】
【０００５】２土台底と９屋根の上部先端四方部分へゴム凹凸方式形すべり止を比較的摩擦力の有る柔らかいゴムを使用する事ですべり転倒を解決できた。２土台と３一階９屋根を十文字プラス方式形に設置し本体全体が安定固定した。
２土台と３一階の間へ４スプリング（バネ）５中央へ４スプリング（バネ）より２倍の強度にし設置した事で上、下四方の振動衝撃を吸収できた事で転倒防止効果が有り突っ張り棒伸び縮み方式に設置し、上、下の押さえを調整できる。
【発明の効果】
【０００６】２土台と３一階９屋根を十文字（プラス）方式形に設置した事により安定し転倒防止できた。２土台底と９屋根上部四方へゴム凹凸方式形スベリ止を付けた事によりすべり止の役割を果たす。
２土台と３一階の間へ四方と５中央部へスプリング（バネ）を設置できた事により上下四方の振動衝撃を吸収し転倒しにくい状態になった。
【図面の簡単な説明】
【０００７】
【図１】  本発明の平面図である。
【図２】  本発明の正面図である。
【発明を実施するための形態】
【０００８】  以下、本発明の実施について説明する。
〔イ〕  ２土台と３一階、５屋根を十文字（プラス）方式形を設置する
〔ロ〕  ２土台と３一階の間へ５中央を含む四方へ４スプリング（バネ）を設置する。
〔ハ〕  ６ゴム凹凸方式形スベリ止を使用。
〔ニ〕  ４スプリング（バネ）重圧５ｋｇ５中央へスプリング（バネ）重圧１０ｋｇ使用
〔ホ〕  ８突っ張り棒強化固定止
〔ヘ〕  １１  スプリング（バネ）脱落防止設置
〔ト〕  ２土台と３一階の間へ振動衝撃を吸収するスプリング（バネ）を設置
２階建方式形
〔チ〕  ７本体上、下伸び縮み止
【符号説明】
【０００９】  １  スプリングプラス突っ張り棒本体
２  スプリングプラス突っ張り棒土台
３  一階
４  ４方部分へのスプリング（バネ）
５  中央のスプリング（バネ）
６  ゴム凹凸方式形スベリ止
７  本体上、下伸び縮み止
８  突っ張り棒強化固定止
９  屋根
１０  本体突っ張り棒柱
１１  スプリング（バネ）脱落防止
【図１】
2014083413.tif 000004
【図２】
2014083413.tif 000005
(57)【要約】【課題】  本発明は、輪状で本体に二重状で添いながら、仕切りの役目をする帯体を提供する。【解決手段】  平面形状が円又は多角形を呈する側面部を有する本体内側に、本体側面部を辿り本体と共に二重状を描く輪状の帯体を有することを特徴とする。【選択図】図１
2014083419.tif 000002
【特許請求の範囲】
【請求項１】
平面形状が円又は多角形を呈する側面部を有する本体内側に、本体側面部を辿り本体と共に二重状を描く輪状の帯体を有することを特徴とする、輪状帯体付き物入れ。
【請求項２】
平面形状が円又は多角形を呈する側面部を有する本体内側に、本体側面部を辿り本体と共に二重状を描く輪状の帯体があって、この本体と帯体との二重ラインに対して垂直に本体の曲面又は角部の一つを挟んで接合したセットを一箇所以上に設けたことを特徴とする、輪状帯体付き物入れ。
【発明の詳細な説明】
【技術分野】
【０００１】  本発明は、落款、印鑑、化粧品等の整理しにくい小物入れの仕切りに関する、あるいはこれらを拡大した大型のバッグ類の仕切りに関する。
【背景技術】
【０００２】  本体に平行する仕切りがある。
本体に斜めの仕切りがある。
【先行技術文献】
【特許文献】
【特許文献】  輪状の仕切り→  ヒット数  ０  輪状の帯体→  ６  輪状＋仕切り→  ６０  特開２０１０−００６４２１  小物整理箱  特許第５０３１５２１  筆記具収納具
【０００３】
【発明の概要】
【発明が解決しようとする課題】
【０００４】  そのために次のような問題点があった。
仕切りを設けると、バッグ類の元に有した空間が小さく又は細く仕切られ、元の空間で入っていた物が入らなくなった。
使用しない時は仕切りが邪魔になった。
【発明を解決するための手段】
【０００５】  平面形状が円又は多角形を呈する側面部を有する本体内側に、本体側面部を辿り本体と共に二重状を描く輪状の帯体を有することを特徴とする。
【発明の効果】
【０００６】  元の空間の広さを残して使用出来るようになった。
必要な時に仕切りを内側に引き出せ、仕切りにはカーブや角部に添っていたので十分な長さがあって、物が挿入出来るようになった。
接合箇所を結ぶ最短距離を中心線とした対称位置近くまで、本体形状に影響することなく帯体を内側に引き出せるようになった。
仕切り部には、挿入物間をくねって通過するので、元に戻ろうとする力も加わって、ストッパーの力が生じるようになった。
【図面の簡単な説明】
【０００７】
【図１】  第一形態の平面図で、ａは本体と帯体の二重状態で一箇所接合の状態、ｂは帯体を内側へおしいれた状態、ｃはｂに小物類を挿入した状態である。
【図２】  ｄは帯体の斜視図、ｅは帯体を本体にはめ込んだ時のＡ−Ａ断面図である。
【図３】  第一形態の平面図で、ｆは二箇所、ｇは三箇所接合の使用図である。
【図４】  第二形態の平面図で、ｈは二重状を示し、ｉは使用図である。
【図５】  第二形態の平面図で、ｊは三箇所接合、ｋはｊの使用図、１は四箇所接合の使用図である。
【図６】  ｍは本体が五角形の場合の使用図と、ｎ、ｏは帯体の変形を示す。
【発明を実施するための形態】
【０００８】  本体側面部の形状を曲面状と角状の二つに分けて説明する。
帯体は一つの輪として描く。輪の形状は、本体に影響され、円なり楕円なり、角形なりの表情をする。帯体の輪状への作成過程は図示しない。本体バッグの全体は図示しない。
図１〜図３を用いて、本体が曲面で、曲面を活用する第一形態を説明する。
図１ａの外円は本体（１）を示し、内円は帯体（３）を示す。一箇所に接合箇所（２）を設ける。この一箇所の場合は始点と終点が一致した場合と考える。
使い方の説明に入る。ｂは接合箇所より反対側を本体内側に引き込んだ平面図で、説明上で必要なＢＣライン（４）を描き添える。これは仮定の接合箇所ＢからＣまでの最短距離を示す。つまり引きこんだ時、帯体はＢＣラインより本体曲線と対称位置にあり、このカーブを作り得る十分な長さがあることを示す。ｃでここに挿入物（５）を入れる、あるいは入れながら、引き込む。
図２ｄは帯体の形状を示し、ｅはこの帯体の本体後面部（６）への取り付け具合をＡ−Ａの断面図で示す。縫合ライン（７）が見える。
図３は接合箇所を増やした場合を示す。ｆは二箇所、ｇは三箇所に設けた場合である。
【０００９】  図４、図５を用いて本体（１）が角部を有し、角部を活用する第二形態を説明する。
図４は正方形の場合の二箇所接合で、帯体（３）の本体側面部への取り付け具合を示す。ｈは二重状を示し、ｉは使用図である。図５は長方形の場合で、ｊは三箇所接合、ｋはその使用図、１は四箇所接合の使用図である。
【００１０】  図６を用いて、別形を示す。
ｍは本体（１）が五角形で三箇所接合の場合の平面図、ｎは帯体（３）の変形を示す。突起が上端側にある場合で上端突起（８）を有し、帯体を引き出す時に持ち易いという利点がある。ｏは突起が下端側にある下端突起を（９）有する場合で、これはポケットの下端部として本体と接合する縫い代となる。又は、底面より浮いた状態で設ける帯体の下端が、底面に到着することによって、他の空間へ挿入物が潜り抜けるのを阻止するストッパーともする。
【符号の説明】
【００１１】  １  本体                    ２  縫合箇所              ３  帯体
４  ＢＣライン              ５  挿入物                ６  本体後面部
７  縫合ライン              ８  上端凸部              ９  下端凸部
【図１】
2014083419.tif 000003
【図２】
2014083419.tif 000004
【図３】
2014083419.tif 000005
【図４】
2014083419.tif 000006
【図５】
2014083419.tif 000007
【図６】
2014083419.tif 000008
(57)【要約】【課題】  従来、２頁以上の資料をクリアファイルで閲覧する場合、２頁目以降は１頁目と同時に閲覧出来ない為、  頁をめくって次頁を表示していた。しかし頁をめくることにより、１頁目と２頁目以降は同時に閲覧できなかった。本発明は、複数頁にまたがる書類を頁をめくる事無く閲覧できるクリアファイルを提供する。【解決手段】  従来のクリアファイルにあった中央部の留め具を無くし、各頁の左右を次頁と連結する。さらに連結した各頁を山折り谷折りして、各頁をめくれるようにし、１頁目と最終頁を表紙と裏表紙に固定したことを特徴とするクリアファイル。【選択図】図１
2014083844.tif 000002
【特許請求の範囲】
【請求項１】
従来のクリアファイルにあった中央部の留め具を無くし、
各頁の左右を次頁と連結後、
連結した各頁を山折り谷折りして、各頁をめくれるようにし、
１頁目と最終頁を表紙と裏表紙に固定したことを特徴とする
多頁閲覧特化型クリアファイル。
【発明の詳細な説明】
【技術分野】
【０００１】本発明は、多頁の資料を閲覧する際の
多頁閲覧特化型クリアファイルに関するものである。
【背景技術】
【０００２】従来、２頁以上にまたがる資料をクリアファイルで閲覧する場合、
３頁目以降は頁をめくって次ページを表示していた。
【発明の概要】
【発明が解決しようとする課題】
【０００３】従来、２頁以上にまたがる資料をクリアファイルで閲覧する場合、
３頁目以降は１頁目と同時に閲覧出来ない為、頁をめくって次頁を表示していた。
しかし頁をめくる為、１頁目から２頁目までと、それ以降の頁（例えば３頁目など）は、同時に閲覧できなかった。
本発明は、以上の問題点を解決するものである。
【問題を解決するための手段】
【０００４】従来のクリアファイルにあった中央部の留め具を無くし、
各頁の左右を隣あった頁と連結する。
さらに連結した各頁を山折り谷折りして、各頁をめくれるようにし、
１頁目と最終頁を表紙と裏表紙に固定する。
以上の構成よりなるクリアファイル。
【発明の効果】
【０００５】従来のクリアファイルでは、不可能だった複数頁の同時閲覧を、
本発明により可能にする。
【図面の簡単な説明】
【０００６】
【図１】本発明の斜視図
【図２】本発明の使用状態を示す斜視図
【発明を実施するための形態】
【０００７】以下、本発明の実施の形態を説明する。
従来のクリアファイルにあった背表紙（２）の留め具を無くし、
クリアファイル（４）の各頁の左右を隣あったクリアファイル（４）の頁と連結する。
さらに連結した各頁を山折りおよび谷折りして、各頁をめくれるようにし、
１頁目と最終頁の見返し（５）を表紙の折り返し（３）に差し込む。
本発明は以上のような構造である。
本発明を使用するときは、まずクリアファイル（４）の各頁に
書類を挿入して、下記の２種類の方法のいずれかで頁をめくる。
使用方法の１つとして、通常のクリアファイルと同じ様に２頁づつ表示する場合は、
クリアファイル（４）の各頁の山折谷折を変えずに頁をめくる。
使用方法の２つとして３頁以上を一度に表示したい場合は、
クリアファイル（４）の各頁の山折谷折を折らない様にのばし、
３頁以上の頁を一度に表示する。
見返し（５）は、表紙の折り返し（３）に差し込まれているだけで、
固定されていない為、  クリアファイル（４）の各頁の厚みによって、
クリアファイル（４）自身がたわむことを防ぐ。
【符号の説明】
【００８】１  表紙、２  背表紙、３  折返し、４  クリアファイル、５  見返し
【図１】
2014083844.tif 000003
【図２】
2014083844.tif 000004